(57)【要約】【課題】  簡易な構造により、空気調和機の下方にいる人に直接気流があたることを防ぎ、且つコアンダ効果による天井面のスマッジングを抑制する天井埋込型空気調和機を得る。【解決手段】  天井に埋設される筐体１と、該筐体の底面に設けられた化粧パネル１１と、該化粧パネルの中央に設けられた吸込口３と、該吸込口の周囲に設けられた吹出口４と、該吹出口に設けられた風向制御用ルーバ２とを備えた天井埋込型空気調和機において、化粧パネルに一端側が回転自在に設けられた第１アーム５と、該第１アームの一端側を回転駆動するために化粧パネルに設けられた駆動部８と、第１アームの他端側に連結部９を介して回転自在に設けられた第２アーム６と、連結部における第１アーム或いは第２アーム部分に取付けられ、第２アームが第１アームに対して所定角度以上回転しないようにするためのストッパ７とを備え、風向制御用ルーバが第２アームの他端側に固定されている。【選択図】図２
2010032062.tif 000002
【特許請求の範囲】
【請求項１】
天井に埋設される筐体と、該筐体の底面に設けられた化粧パネルと、該化粧パネルの実質的に中央に設けられ前記筐体の内部に室内空気を吸込む吸込口と、該吸込口の周囲に設けられ室内へ空気を吹出す吹出口と、該吹出口に設けられた風向制御用ルーバとを備えた天井埋込型空気調和機において、
前記化粧パネルに一端側が回転自在に設けられた第１アームと、
該第１アームの前記一端側を回転駆動するために前記化粧パネルに設けられた駆動部と、
前記第１アームの他端側に連結部を介して回転自在に設けられた第２アームと、
前記連結部における前記第１アーム或いは第２アーム部分に取付けられ、前記第２アームが第１アームに対して所定角度以上回転しないようにするためのストッパとを備え、
前記風向制御用ルーバは前記第２アームの他端側に固定されていることを特徴とする天井埋込型空気調和機。
【請求項２】
請求項１において、前記ストッパは前記第２アームに固定され、前記風向制御用ルーバの風向制御時に、前記第１アームと前記第２アームとの成す角度が実質的に１８０度を超えないように、前記ストッパを設けていることを特徴とする天井埋込型空気調和機。
【請求項３】
請求項１において、前記風向制御用ルーバの風向制御時には、前記第１アーム及び第２アームにより、風向制御用ルーバの全体を前記化粧パネルの下面よりも下側に下降させた状態で該風向制御用ルーバを制御することを特徴とする天井埋込型空気調和機。
【発明の詳細な説明】
【技術分野】
【０００１】
本発明は、室内機が天井に配設された天井埋込型空気調和機に関し、特に風向制御用ルーバの構造に関する。
【背景技術】
【０００２】
従来この種の冷凍サイクル装置としては、特許文献１に記載のものがある。この従来技術のものは、風向制御板の長手方向に沿った一端縁部は直線とし、他端縁部は両側よりも中央の湾曲度を低く成形している。これにより、吹出す空調空気の風向きが全て等しくかつ風速分布がほぼ均一となることで、流れの中に物体を置いたときにその物体に沿って流れの向きが変わるコアンダ効果の影響を受けない。従って天井面に気流が吹付けられることを防止して、天井面のスマッジング（汚れ）を抑制している。
【０００３】
また、特許文献２に記載のものでは、室内機本体と組み合わせて風路を形成する化粧パネルと、その化粧パネルから外周の天井表面へ沿うように風を吹出す吹出口と、吹出し気流を上下方向に偏向させる風向偏向板を備えている。これにより、天井面のスマッジングを抑制しながら、空気調和機からの気流が直接人体に当たることを防止するものである。
【０００４】
【特許文献１】特開２００７−３２２１１４号公報
【特許文献２】特開２００６−３３６９６１号公報
【発明の開示】
【発明が解決しようとする課題】
【０００５】
しかし、上記の特許文献１のものでは、風向制御板の反長手方向の長さが十分でなく、空気調和機の下にいる人に与える冷風感を抑制することについては十分な配慮がなされていない。
【０００６】
また、上記の特許文献２のものでは、空調空間の温湿度が安定して冷房負荷が低くなり天井面に沿った気流に切り替える際に、化粧パネルの外周部を上下に稼動させ、外周部を下降させることで吹出口の切り替えが必要となり、より簡易な構造とすることは十分考慮されていない。
【０００７】
本発明の目的は、簡易な構造により、空気調和機の下方にいる人に直接気流が当たることを防ぎ、且つコアンダ効果による天井面のスマッジングを抑制する天井埋込型空気調和機を得ることにある。
【課題を解決するための手段】
【０００８】
上記課題を解決するために、本発明は、天井に埋設される筐体と、該筐体の底面に設けられた化粧パネルと、該化粧パネルの実質的に中央に設けられ前記筐体の内部に室内空気を吸込む吸込口と、該吸込口の周囲に設けられ室内へ空気を吹出す吹出口と、該吹出口に設けられた風向制御用ルーバとを備えた天井埋込型空気調和機において、前記化粧パネルに一端側が回転自在に設けられた第１アームと、該第１アームの前記一端側を回転駆動するために前記化粧パネルに設けられた駆動部と、前記第１アームの他端側に連結部を介して回転自在に設けられた第２アームと、前記連結部における前記第１アーム或いは第２アーム部分に取付けられ、前記第２アームが第１アームに対して所定角度以上回転しないようにするためのストッパとを備え、前記風向制御用ルーバは前記第２アームの他端側に固定されていることを特徴としている。
【０００９】
また、上記において、前記ストッパは前記第２アームに固定され、前記風向制御用ルーバの風向制御時に、前記第１アームと前記第２アームとの成す角度が実質的に１８０度を超えないように、前記ストッパを設けてもよい。
【００１０】
また、上記において、前記風向制御用ルーバの風向制御時には、前記第１アーム及び第２アームにより、風向制御用ルーバの全体を前記化粧パネルの下面よりも下側に下降させた状態で該風向制御用ルーバを制御するものでもよい。
【発明の効果】
【００１１】
本発明によれば、天井に埋設される筐体と、該筐体の底面に設けられた化粧パネルと、該化粧パネルの実質的に中央に設けられ前記筐体の内部に室内空気を吸込む吸込口と、該吸込口の周囲に設けられ室内へ空気を吹出す吹出口と、該吹出口に設けられた風向制御用ルーバとを備えた天井埋込型空気調和機において、前記化粧パネルに一端側が回転自在に設けられた第１アームと、該第１アームの前記一端側を回転駆動するために前記化粧パネルに設けられた駆動部と、前記第１アームの他端側に連結部を介して回転自在に設けられた第２アームと、前記連結部における前記第１アーム或いは第２アーム部分に取付けられ、前記第２アームが第１アームに対して所定角度以上回転しないようにするためのストッパとを備え、前記風向制御用ルーバは前記第２アームの他端側に固定されるように構成することで、折りたたまれて筐体内に収納されていた前記第１アームと第２アームが運転開始時に下方へ延びることで、第２アームに設けられた風向制御用ルーバを大きく下降させてから風向制御できる。従って、本発明によれば、簡易な構造で空気調和機の下方にいる人に直接気流が当たることを防ぎ、且つコアンダ効果による天井面のスマッジングを抑制する天井埋込型空気調和機を得ることができる。
【発明を実施するための最良の形態】
【００１２】
以下、本発明の実施例を図面に基づいて説明する。
【実施例１】
【００１３】
図１は本発明の実施例１における吹出口４付近の縦断面図を示す。化粧パネル１１には回転自在に動く第１アーム５が設けられ、この第１アーム５は、その一端側に設けられた駆動部８により回転駆動する。第１アーム５の他端側には、連結部９を介して回転自在に動く第２アーム６が設けられている。第１アーム５と第２アーム６との間にはストッパ７が取付けられ、第２アーム６の他端側には風向制御用ルーバ２が固定部１０を介して固設されている。
【００１４】
空気調和機運転開始時には、第１アーム５の一端側に設けられた駆動部８を中心に第１アーム５が矢印方向に回転する。これにより、折りたたんで筐体１内に収納されていた第１アーム５と第２アーム６が下方に延び、風向制御用ルーバ２も下降する。この風向制御用ルーバ２の上昇，下降動作は、筐体１内に設けられた駆動モータ（図示せず）を駆動させ、その駆動モータに連動する駆動部８を制御するだけで行うことができる。
【００１５】
図２は風向制御用ルーバ２が下降し、風向制御している状態の吹出口４付近の図である。風向制御用ルーバ２は、ほぼ第１アーム５と第２アーム６の長さの分だけ下降させることができ、筐体１に接続された駆動部８を支点として、第１アーム５と第２アーム６を介して風向制御用ルーバ２を矢印のように動作させることによって風向制御を行う。ここで、第１アーム５と第２アーム６が吸込口３の方向に動いた場合、第２アーム６の連結部９側に設けられたストッパ７によって、第１アーム５と第２アーム６がほぼ直線状となる位置で、第２アーム６の回転運動が止められる。即ち、ストッパ７により第１アーム５と第２アーム６の成す角が１８０度を超えないように構成されているので、風向制御用ルーバ２の動作を駆動部８のみで行うことができる。
【００１６】
空気調和機運転終了時には、駆動部８を支点に第１アーム５を図１の矢印方向とは反対方向に回転させ、風向制御用ルーバ２と第２アーム６を上昇させて風向制御用ルーバ２を化粧パネル１１に収納する。
【００１７】
本実施例では、風向制御用ルーバ２の取出し及び収納に用いる駆動モータと、風向制御用ルーバ２の風向制御を行うための駆動モータとを共有することができるので、風向制御用ルーバ２毎に１つの駆動モータを設ければよい。
【図面の簡単な説明】
【００１８】
【図１】本発明の実施例１における空気調和機の吹出口部分の断面図。
【図２】本発明の実施例１における空気調和機のルーバ稼動時の動作図。
【符号の説明】
【００１９】
１  筐体
２  風向制御用ルーバ
３  吸込口
４  吹出口
５  第１アーム
６  第２アーム
７  ストッパ
８  駆動部
９  連結部
１０  固定部
１１  化粧パネル
【図１】
2010032062.tif 000003
【図２】
2010032062.tif 000004